(57)【要約】【課題】自立角度を変えることで、手に持たずに照明方向を複数に変更でき、倒れても光源部や送風口が載置面に接触せず、停電時にも使用できるファン付き照明器具を提供する。【解決手段】ファン付き照明器具１０において、筐体下面１７に形成される直立支持部１８が載置面１９に接して直立する筐体１１と、筐体上部１２の前面に設けられる光源部３２と、筐体１１の内方に設けられる送風装置４０と、光源部３２より下方の前面に形成される突出先端縁部２７と、光源部３２と突出先端縁部２７との間で光源部３２よりも上方の前面上端部４６と突出先端縁部２７とを通る前面仮想線から突出せずに設けられ送風装置４０からの風が吹き出される送風口４３と、を設けた。【選択図】図４
2013206614.tif 000002
【特許請求の範囲】
【請求項１】
筐体下面に形成される直立支持部が載置面に接して直立する筐体と、
筐体上部の前面に設けられる光源部と、
前記筐体の内方に設けられる送風装置と、
前記光源部より下方の前記前面に形成される突出先端縁部と、
前記光源部と前記突出先端縁部との間で前記光源部よりも上方の前面上端部と前記突出先端縁部とを通る前面仮想線から突出せずに設けられ前記送風装置からの風が吹き出される送風口と、を備えるファン付き照明器具。
【請求項２】
請求項１記載のファン付き照明器具であって、
前記送風口と反対側の筐体背面に吸入口が設けられ、
前記送風装置が、前記送風口と前記吸入口とに挟まれる前記筐体の内方空間部に設けられるファン付き照明器具。
【請求項３】
請求項１または請求項２記載のファン付き照明器具であって、
前記筐体下部に電池および前記電池の電力を前記光源部へ供給する電源回路部が設けられ、
前記筐体下部の前後方向の厚みが前記筐体上部の前後方向の厚みよりも厚いファン付き照明器具。
【発明の詳細な説明】
【技術分野】
【０００１】
本発明は、自立角度可変で充電式のファン付き照明器具に関する。
【背景技術】
【０００２】
充電式で、発光部を使用者の用途に応じて使用できる照明器具が提案されている（例えば特許文献１、２参照）。特許文献１の照明装置は、図１４に示すように、通常の使用の際には、載置部１００から上方に延びる支持部１０１に灯体１０２を支持した状態で、灯体１０２に設けられた光源部１０３を点灯させる。このことにより下方（載置部に向かう方向）を照らして通常の電気スタンドとして使用できる。また、灯体１０２を支持部１０１から取り外して懐中電灯として使用できる。一方、停電時等の非常の際には、灯体１０２に内蔵されている充電部を常時充電しておくことにより、光源部１０３の補助光源１０４を点灯できる。補助光源光軸１０５は、下方を照らしている主光源１０６の主光源光軸１０７と交差する方向、すなわち例えば水平方向に向いているため、停電時等の暗闇においても容易に灯体１０２の位置を視認できる。なお、補助光源１０４は、非常時に点灯させるものであるが、通常時においても点灯させるようにしてもよい。
【０００３】
また、特許文献２の照明装置は、図１５に示す発光部１０８と、一端がこの発光部１０８に接続されるとともに、変形自在であって形状保持力を有する連結部１０９と、この連結部１０９の他端に接続される略柱状の本体１１０と、を備える。また、この本体１１０の内部に収納される充電可能な不図示の蓄電部と、凹部１１１を有し、この凹部１１１に本体１１０が挿入可能な台座部１１２と、商用電源からの電力を台座部１１２に給電する給電部１１３と、を備える。本体１１０が台座部１１２から取り外された際には、蓄電部によって発光部１０８の点灯が可能である。本体１１０が台座部１１２に接続された際には、給電部１１３からの給電によって発光部１０８の点灯が可能となっている。
【０００４】
ところで、照明装置には送風機を備えるものが知られている。例えば特許文献３の箱形扇風機は、図１６に示す前面板１１４に吹出口１１５が開口し、内部が縦長の通風路１１６として構成される本体ケーシング１１７の下部にファン１１８が組み込まれている。本体ケーシング１１７の下部に形成された取入口１１９から外部の空気を吸い込み、これを通風路１１６内に上向きに送風して吹出口１１５から外部に吹き出す。通風路１１６の前面側の中央部分には蛍光灯１２０や鏡等のインテリア部品が設けられる。
【０００５】
また、特許文献４の送風機付き照明装置は、図１７に示す基礎体１２１の外部にプロペラ形の送風機１２２が設けられる。このプロペラ型の送風機１２２の外周に蛍光リング灯１２３が配設されてダクト送風倍増効果が得られるようになされている。蛍光リング灯１２３の外周にこれを保護する透明ドーナツカバー１２４が設けられている。基礎体１２１には、スイッチ１２５、点灯管１２６が設けられている。
【先行技術文献】
【特許文献】
【０００６】
【特許文献１】特開２００７−３３５２８２号公報（請求項１、図１、段落００１４）
【特許文献２】特開２００５−３１０４９６号公報（請求項１、図３、段落００１１）
【特許文献３】実開昭６２−１２４２９３号公報（請求項１、図１）
【特許文献４】特開２０１１−１８１２１２号公報（請求項５、図８、段落００２４）
【発明の概要】
【発明が解決しようとする課題】
【０００７】
しかしながら、特許文献１の照明装置は、灯体１０２を支持部１０１から取り外して懐中電灯として使用する場合、自立させることができなかった。このため、照明光を所望の方向に向けたままに保持することができなかった。また、特許文献２の照明装置は、照明光を所望の方向に向けたいときには、変形自在な連結部１０９を屈曲調整しなければならない煩わしさがあった。
ところで、停電時の料理や勉強は、特に夏期の場合、暑くて不快である。特許文献３、特許文献４の照明装置は送風機を備えるが、充電式ではないため、停電時には使用することができない。また、特許文献４の照明装置は、倒れた際に光源部である蛍光リング灯１２３や透明ドーナツカバー１２４が載置面に接触して破損する可能性がある。
【０００８】
本発明は上記状況に鑑みてなされたもので、その目的は、自立角度を変えることで、手に持たずに照明方向を複数に変更でき、倒れても光源部や送風口が載置面に接触せず、停電時にも使用できるファン付き照明器具を提供することにある。
【課題を解決するための手段】
【０００９】
本発明のファン付き照明器具は、筐体下面に形成される直立支持部が載置面に接して直立する筐体と、筐体上部の前面に設けられる光源部と、前記筐体の内方に設けられる送風装置と、前記光源部より下方の前記前面に形成される突出先端縁部と、前記光源部と前記突出先端縁部との間で前記光源部よりも上方の前面上端部と前記突出先端縁部とを通る前面仮想線から突出せずに設けられ前記送風装置からの風が吹き出される送風口と、を備えるものである。
【００１０】
また、本発明のファン付き照明器具は、前記送風口と反対側の筐体背面に吸入口が設けられ、前記送風装置が、前記送風口と前記吸入口とに挟まれる前記筐体の内方空間部に設けられるものである。
【００１１】
さらに、本発明のファン付き照明器具は、前記筐体下部に電池および前記電池の電力を前記光源部へ供給する電源回路部が設けられ、前記筐体下部の前後方向の厚みが前記筐体上部の前後方向の厚みよりも厚いものである。
【発明の効果】
【００１２】
本発明に係るファン付き照明器具によれば、自立角度を変えることで、手に持たずに照明方向を複数に変更でき、倒れても光源部や送風口が載置面に接触せず、停電時にも使用できる。
【図面の簡単な説明】
【００１３】
【図１】本発明に係る第１実施形態のファン付き照明器具の斜視図
【図２】（Ａ）は図１に示したファン付き照明器具の正面図、（Ｂ）はその上面図
【図３】（Ａ）は図１に示したファン付き照明器具の背面図、（Ｂ）はその下面図
【図４】図２のＣ−Ｃ断面図
【図５】図４に示した光源部の拡大図
【図６】図４に示した送風装置拡大図
【図７】（Ａ）は図４に示した横軸の背面図、（Ｂ）は図４に示した縦軸の背面図
【図８】前面仮想線と共に表した筐体の側断面図
【図９】スイッチ部およびインジケータランプの拡大正面図
【図１０】（Ａ）はファン付き照明器具の直立した場合の側面図であり、（Ｂ）はファン付き照明器具の第一前傾姿勢となった場合の側面図であり、（Ｃ）はファン付き照明器具の第二前傾姿勢となった場合の側面図
【図１１】照明優先の動作を説明するフローチャート
【図１２】送風口と送風装置とが離れて配置される第２実施形態に係るファン付き照明器具の側断面図
【図１３】光源部に有機ＥＬパネルが用いられる第３実施形態に係るファン付き照明器具の斜視図
【図１４】従来の照明器具の斜視図
【図１５】他の従来の照明器具の斜視図
【図１６】ファンを備えた従来の照明装置の正面図
【図１７】プロペラ型送風機を備えた他の従来の照明装置の側断面図
【発明を実施するための形態】
【００１４】
以下、本発明に係る実施形態について、図面を用いて説明する。
図１は本発明に係る第１実施形態のファン付き照明器具の斜視図、図２（Ａ）は図１に示したファン付き照明器具の正面図、（Ｂ）はその上面図、図３（Ａ）は図１に示したファン付き照明器具の背面図、（Ｂ）はその下面図、図４は図２のＣ−Ｃ断面図である。
ファン付き照明器具１０は、縦長の筐体１１が直立して自立する。筐体上部１２は、前後方向に薄い扁平形状に形成される。筐体上部１２には矩形状の把手穴１３が設けられる。ファン付き照明器具１０は、この把手穴１３に手指を入れたり、フックに引っ掛けたりする等して筐体１１を保持でき、カンテラやランタンとしての使用が可能となっている。
【００１５】
筐体下部１４の前後方向の厚みは、筐体上部１２の前後方向の厚みよりも厚く形成される。これにより、ファン付き照明器具１０は、筐体下部１４に、筐体上部１２に比べ大きな収容空間を確保でき、電池１５（図４参照）や電源回路部１６を収容することが可能となっている。
【００１６】
ファン付き照明器具１０は、筐体下面１７に設けた直立支持部１８（図３（Ｂ）参照）を載置面１９に接して直立する。直立支持部１８は、筐体１１の左右に一定の間隔を有し、筐体１１の前後方向に長い一対の平行なレール部２０で形成される。筐体１１は、一対の平行なレール部２０に囲まれる四角形領域に重心２１が配置されることにより、自立可能となる。また、直立支持部１８がレール部２０となることで、直立支持部１８が点状の場合に発生する載置面１９の凹部等への落ち込みが防止でき、自立の安定性が高められている。
【００１７】
筐体１１は、筐体下面１７に連続する第一連続面２２が形成される。本実施形態では、この第一連続面２２は平面で形成される。第一連続面２２には、載置面１９に接して、第一前傾姿勢で自立させる第一前傾支持部２３（図３（Ｂ）参照）が設けられている。
【００１８】
第一前傾支持部２３は、筐体１１の左右方向に長い一本のリブ２４で形成される。ファン付き照明器具１０は、第一前傾姿勢のとき、筐体下面１７と第一前傾支持部２３とで筐体１１が自立する。第一前傾支持部２３が筐体１１の左右方向に長いリブ２４となっていることで、重心２１の設定可能範囲が、リブ２４の長さに比例して広くなり、自立の安定性が高められるようになっている。
【００１９】
第一連続面２２には第二連続面２５が連続して設けられる。この第二連続面２５は、凸曲面で形成される。第二連続面２５は、凸曲面とすることにより、前傾姿勢へ移行させる際の動作をスムースにできる。第二連続面２５には、載置面１９に接し、筐体１１を第一前傾姿勢より大きい前傾角度の第二前傾姿勢で自立させる第二前傾支持部２６（図３（Ｂ）参照）が形成される。
【００２０】
本実施形態において、第二前傾支持部２６は、筐体１１の前方に突出しリブ２４と平行な突出先端縁部２７で形成される。第二前傾姿勢のとき、筐体１１は、第二連続面２５で自立する。
【００２１】
筐体１１は、ケース本体２８の後方が、ケース開口部２９となる。このケース開口部２９は、複数のビス３０（図３（Ａ）参照）によってケース本体２８に固定される後蓋３１によって塞がれる。つまり、筐体１１は、ケース本体２８に後蓋３１が取り付けられて、電池１５や電源回路部１６を収容する収容空間が形成されている。
【００２２】
後蓋３１は平板状に形成される一方、ケース本体２８は下方が前方に突出される。これにより、筐体１１は、前述のように筐体下部１４に大きな収容空間を確保して電池１５や電源回路部１６の収容を可能としている。筐体１１は、角部に丸みを設けた見栄えのよい外形状を有している。また、筐体１１は、筐体上部１２を扁平とし、筐体下部１４に大きな収容空間を設けることで安定感を生じさせ、美観、機能の双方を満足する形状となっている。
【００２３】
図５は図４に示した光源部３２の拡大図である。
筐体１１は、筐体上部１２の前面３３に光源部３２を有する。本実施形態において、前面３３は、凹曲面に形成される。光源部３２は、前面３３に沿って複数の半導体発光素子であるＬＥＤ３４を有する。ＬＥＤ３４は、例えば縦横に複数個が配列されている。本実施形態では、横に４個、縦に２個の合計８個のＬＥＤ３４が設けられる。
【００２４】
ＬＥＤ３４は、回転放物面等からなる反射板３５の底に配置される。反射板３５の表面は、シホ加工面等の光拡散面で形成される。反射板３５は、シホ加工が施されることで、ＬＥＤ３４からの出射光を拡散反射させ、照射面における色ムラや照度ムラが低減される。
【００２５】
ＬＥＤ３４は、要部に不図示のＬＥＤチップを有し、実装基板に実装される。ＬＥＤチップとしては、青色光（λ≒４００〜４６０ｎｍ）を放射するＧａＮ系青色半導体発光素子が好適に用いられる。ＬＥＤチップは、実装基板に設けられた回路部に電極がワイヤにて接続される。ＬＥＤチップ、ワイヤはシリコーン樹脂からなる薄型レジンにより覆われる。薄型レジンは、空気層を介してさらに蛍光体キャップによって覆われる。
【００２６】
例えばＬＥＤ３４が白色仕様の場合、蛍光体キャップは、緑色蛍光体、黄色蛍光体、赤色蛍光体を透光性シリコーン樹脂に分散した後、硬化させて形成されている。この蛍光体キャップによって、ＬＥＤチップからの一部の青色光が、緑色光（λ≒５４０〜５６５ｎｍ）、黄色光（λ≒５６０〜５８０ｎｍ）、赤色光（λ≒６８０〜７２０ｎｍ）に変換され、これらの光が混ざり合って白色光が生成される。
【００２７】
図６は図４に示した送風装置拡大図、図７（Ａ）は図４に示した横軸３７の背面図、（Ｂ）は図４に示した縦軸３８の背面図、図８は前面仮想線３９と共に表した筐体１１の側断面図である。
ファン付き照明器具１０は、筐体１１の内方に送風装置４０が設けられる。本実施形態において、送風装置４０は、ファンモータ４１（図４参照）の駆動軸にファン４２を取り付けた軸流ファン式とされている。光源部３２と突出先端縁部２７との間には送風口４３が設けられる。送風口４３と反対側の筐体背面には、吸入口４４が設けられる。送風装置４０は、送風口４３と吸入口４４とに挟まれる筐体１１の内方空間部４５（図６参照）に設けられ、ファン４２が回転されることにより、吸入口４４から吸引された空気が送風口４３から吹き出される。送風口４３と光源部３２とは、光源部３２よりも上方の前面上端部４６（図８参照）と突出先端縁部２７とを通る前面仮想線３９から外方へ突出せずに設けられる。
【００２８】
ファンモータ４１は、電源回路部１６の回路基板３６に搭載される制御部によって駆動が制御される。ファンモータ４１は、図７（Ａ）に示す横軸３７に回転自在に支持される。ファンモータ４１は、横軸回りに回転されることにより、ファン４２による空気吹き出し方向が上下方向に所定の角度範囲で変更される。また、横軸３７は、上下端が筐体１１に固定される縦軸３８に、回転自在に支持される。ファンモータ４１は、横軸３７が縦軸回りに回転されることにより、ファン４２による空気吹き出し方向が左右方向に所定の角度範囲で変更される。送風装置４０は、ファンモータ４１の上下左右の最大振れ角においても、図８に示すように、ファン４２が前面仮想線３９から突出しないように取り付け位置が定められている。
なお、横軸３７、縦軸３８を用いた吹出方向変更構造は一例であり、空気吹き出し方向が同様に変更されるものであれば、その他の吹出方向変更構造であってもよい。
【００２９】
図９はスイッチ部４７およびインジケータランプ４８の拡大正面図である。
ファン付き照明器具１０は、図１に示した一方の側面の下部に不図示の充電コードのジャックを差し込む充電口４９が設けられている。充電コードは、一端のプラグを不図示のコンセントに差し込み、ジャックを充電口４９に差し込むことで、商用電源が電源回路部１６に供給される。
【００３０】
電源回路部１６には、充電口４９と、スイッチ部４７と、インジケータランプ４８と、電池１５と、回路基板３６と、トランス５０（図４参照）と、が接続される。回路基板３６には、ＣＰＵ、メモリ等を有する不図示の制御部が設けられる。制御部は、電池１５を電源として駆動され、検出されたスイッチ部４７の開閉状態に基づき、光源部３２、送風装置４０、インジケータランプ４８等へ駆動制御信号が送出される。
【００３１】
スイッチ部４７は、前面３３の上下方向略中央に配置され、筐体１１に形成された横長の矩形穴５１にスライドボタン５２がスライド自在に設けられる。スイッチ部４７は、スライドボタン５２のスライドによって例えば３つの位置（ポジション）に設定される。この３つの位置は、中央位置（ＣＰ）と、左位置（ＬＰ）と、右位置（ＲＰ）となる。スイッチ部４７の下方には、インジケータランプ４８が設けられる。インジケータランプ４８は、制御部に商用電源が供給されている状態で点灯される。
【００３２】
次に、上記構成を有するファン付き照明器具１０の作用を説明する。
図１０（Ａ）はファン付き照明器具１０の直立した場合の側面図であり、（Ｂ）はファン付き照明器具１０の第一前傾姿勢となった場合の側面図であり、（Ｃ）はファン付き照明器具１０の第二前傾姿勢となった場合の側面図である。
ファン付き照明器具１０は、図１０（Ａ）に示すように、通常、テーブル等の水平な載置面１９に直立姿勢に置かれて使用される。ファン付き照明器具１０は、直立支持部１８と、第一連続面２２と、第二連続面２５と、のいずれの内側にも重心２１が配置される。図例では、それぞれの姿勢における前後範囲を、平行な一対の後方鉛直仮想線５３と前方鉛直仮想線５４とで示している。ここで、鉛直方向とは、重力の作用する方向である。
【００３３】
これにより、図１０（Ａ）に示す直立姿勢、図１０（Ｂ）に示す第一前傾姿勢、図１０（Ｃ）に示す第二前傾姿勢の複数の角度で自立が可能となる（自立角度が可変される）。ファン付き照明器具１０は、仮に、いずれかの姿勢において、後方鉛直仮想線５３や前方鉛直仮想線５４の外側に重心２１が外れれば、その外側に回転するモーメントが生じて転倒することとなる。このような場合であっても、光源部３２、ファン４２、および送風口４３が前面仮想線３９（図８参照）よりも突出しないので、倒れても光源部３２および送風口４３が載置面１９に接触することがない。
【００３４】
ファン付き照明器具１０は、停電時等、ＬＥＤ３４が点灯された状態では、直立姿勢でＬＥＤ３４からの照明光ＳＬが図１０（Ａ）に示すように、水平照射される。また、第一前傾姿勢では、図１０（Ｂ）に示すように、ＬＥＤ３４からの照明光ＳＬがテーブルの作業域全体に照射される。第二前傾姿勢では、図１０（Ｃ）に示すように、ＬＥＤ３４からの照明光ＳＬが手元に照射されることになる。
【００３５】
このように、ファン付き照明器具１０では、光源部３２を備えた筐体上部１２が薄厚となることで、異なる複数の角度での自立を可能にしながら、かつ、照射範囲を大きく確保できる。ファン付き照明器具１０は、筐体上部１２に光源部３２が設けられ、小さな光源部３２で照明範囲が大きく確保可能となる。仮に、筐体上部１２が肉厚のブロック体であれば、照射範囲を大きく確保できても、異なる複数の前傾角度で自立を可能にすることが困難となる。
【００３６】
ファン付き照明器具１０では、筐体上部１２を薄厚とし、筐体下部１４を厚くなることで、筐体下部１４に、筐体上部１２に比べ大きな収容空間を確保でき、電池１５や電源回路部１６を収容することが可能となる。これにより、質量の大きい部材を筐体下部１４に集中させて配置でき、重心位置の設定が容易となる。つまり、自立角度を変えてもバランスを保つことが容易となる。また、筐体下部１４を厚くして電池１５や電源回路部１６の収容空間が確保されることにより、筐体上部１２を薄厚にできる効果も奏する。
【００３７】
本実施形態に係るファン付き照明器具１０では、直立姿勢、第一前傾姿勢、第二前傾姿勢の複数の角度で自立が可能となる。これにより、自立角度を変えることで、従来のように手に持たずに、あるいは、変形自在な連結部等を屈曲調整せずに、照明方向を三段階に照らし分けできる。
【００３８】
図１１は照明優先の動作を説明するフローチャートである。
ファン付き照明器具１０は、送電状態において、スライドボタン５２（図９参照）が中央位置（ＣＰ）に設定されていると、充電中となる（Ｓｔ１）。この状態では、ＬＥＤ３４が消灯され、送風装置４０が停止され、インジケータランプ４８のみが点灯された状態となる（Ｓｔ２）。停電により給電が遮断されると、インジケータランプ４８が消灯される（Ｓｔ３）。また、スライドボタン５２が中央位置で、充電コードが抜かれても、インジケータランプ４８が消灯される。
【００３９】
インジケータランプ４８の消灯状態において、スライドボタン５２がスライドされると（Ｓｔ４）、電源回路部１６によってスライドボタン５２のスライド位置が検出される。スライドボタン５２が左位置（ＬＰ）へスライドされていると、ＬＥＤ３４のみが点灯される（Ｓｔ５）。これにより、通常の懐中電灯、カンテラ、ランタン等としての持ち運びによる使用が可能となる。スライドボタン５２が右位置（ＲＰ）へスライドされていると、ＬＥＤ３４が点灯され、かつ、ファンモータ４１が駆動される（Ｓｔ６）。
【００４０】
なお、送電状態においても、スライドボタン５２が左右いずれかにスライドされると、ＬＥＤ３４、ファンモータ４１が駆動される。この場合、電源回路部１６は、低周波交流を全波整流器および平滑コンデンサにより平滑化された直流に変換し、さらに不図示の高周波インバータによって直流が高周波に変換されることにより、ＬＥＤ３４を高周波で駆動可能とする。また、電源回路部１６は、この状態で同時に電池１５への充電も行う。
【００４１】
ＬＥＤ３４やファンモータ４１の駆動中、バッテリ残量が制御部によって検出されている（Ｓｔ７）。バッテリ残量が所定量であるときは、ＬＥＤ３４とファンモータ４１が駆動される（Ｓｔ８）。バッテリ残量が所定量以下となったことが制御部によって検出されると、制御部は、ファンモータ４１を停止、ＬＥＤ３４のみを点灯させ、かつ、インジケータランプ４８を点滅させる（Ｓｔ９）。
【００４２】
上記のように、ファン付き照明器具１０は、送風口４３と吸入口４４とが筐体１１の表裏で対面配置され、その間に送風装置４０が配置されることで、送風構造がコンパクトに形成される。即ち、吸入口４４に送風口４３が対面されることで、透孔風路５５が短く形成され、例えば風路が光源部３２の裏側を通る構造に比べ、筐体１１の薄厚化、小型化が可能となる。また、光源部３２と突出先端縁部２７との間に、送風口４３および吸入口４４で開放される内方空間部４５が形成され、筐体１１の中央部の質量が小さくなり、筐体下部１４への重心２１の設定が容易となる。つまり、透孔風路５５（図４参照）によって重心２１が筐体下部１４へ設定し易くなる。
【００４３】
また、ファン付き照明器具１０では、質量の大きい電池１５やトランス５０、電源回路部１６が筐体下部１４に配置され、筐体１１の低い位置への重心２１の設定が容易となる。筐体下部１４の前後方向の厚みが筐体上部１２の前後方向の厚みよりも厚いことによっても、筐体１１の低い位置への重心２１の設定（低重心化）が容易となる。これにより、自立角度の変更が安定的に可能となる。
【００４４】
次に、本発明に係る第２実施形態のファン付き照明器具５６を説明する。
図１２は送風口４３と送風装置５７とが離れて配置される第２実施形態に係るファン付き照明器具５６の側断面図である。なお、以下の各実施形態において、図１から図１１に示した部材と同一の部材には同一の符号を付し、重複する説明は省略する。
このファン付き照明器具５６は、送風装置５７が筐体下部１４に内蔵される。送風装置５７は、送風ダクト５８によって送風口４３に接続される。また、筐体下部１４には不図示の吸入口が開口され、送風装置５７は吸入口から取り込んだ外気を送風口４３へ送風する。この場合の送風装置５７にはシロッコファンが好適に用いられる。この構造では、筐体下部１４には薄厚の電池５９が配置され、電池５９の上方に送風装置５７が配置される。
【００４５】
このファン付き照明器具５６によれば、送風装置５７がさらに筐体下部１４の低い位置に配置され、筐体１１の重心２１を低くして、自立安定性をより高めることができる。
【００４６】
次に、本発明に係る第３実施形態のファン付き照明器具６０を説明する。
図１３は光源部６１に有機ＥＬパネル６２が用いられる第３実施形態に係るファン付き照明器具６０の斜視図である。
このファン付き照明器具６０は、光源部６１が、一枚の有機ＥＬパネル６２からなる。有機ＥＬパネル６２は、上記の反射板３５を必要としない。これにより、光源部６１は、より薄厚化が可能となる。
このファン付き照明器具６０によれば、光源部６１が有機ＥＬパネル６２からなることで、筐体上部１２をより薄厚にすることができ、筐体１１の重心２１をさらに低くして、自立安定性をより高めることができる。
【００４７】
従って、本実施形態に係るファン付き照明器具１０、ファン付き照明器具５６、ファン付き照明器具６０によれば、自立角度を変えることで、手に持たずに照明方向を複数に変更でき、倒れても光源部３２や送風口４３が載置面１９に接触せず、停電時にも使用できる。
【符号の説明】
【００４８】
１０  ファン付き照明器具
１１  筐体
１２  筐体上部
１４  筐体下部
１５  電池
１６  電源回路部
１７  筐体下面
１８  直立支持部
１９  載置面
２７  突出先端縁部
３２  光源部
３３  前面
３９  前面仮想線
４０  送風装置
４３  送風口
４４  吸入口
４５  内方空間部
４６  前面上端部
【図１】
2013206614.tif 000003
【図２】
2013206614.tif 000004
【図３】
2013206614.tif 000005
【図４】
2013206614.tif 000006
【図５】
2013206614.tif 000007
【図６】
2013206614.tif 000008
【図７】
2013206614.tif 000009
【図８】
2013206614.tif 000010
【図９】
2013206614.tif 000011
【図１０】
2013206614.tif 000012
【図１１】
2013206614.tif 000013
【図１２】
2013206614.tif 000014
【図１３】
2013206614.tif 000015
【図１４】
2013206614.tif 000016
【図１５】
2013206614.tif 000017
【図１６】
2013206614.tif 000018
【図１７】
2013206614.tif 000019